(57)【要約】      （修正有）【課題】簡易に、かつ高精度で四本の脚を鉛直に保ちながら、隣り合った脚の間に補強用横棒を水平に取り付けることができる脚ユニットを提供する。【解決手段】脚ユニット１０は、一対の第一脚部材１２，１２と、一対の第二脚部材１４，１４とを有する。第一脚部材１２は、横方向に配置された第一横棒１６と、その下で横方向に配置された第一下横棒と、第一横棒および第一下横棒の両端に縦方向に接合された一対の第一脚片２０，２０とを備える。第二脚部材１４は、横方向に配置された第二横棒２２と、その下で横方向に配置された第二下横棒と、第二横棒および第二下横棒の両端に縦方向に接合された一対の第二脚片２６，２６とを備える。脚ユニット１０は、第一脚片２０および第二脚片２６がそれぞれの側面同士が接触した状態で、接合される。【選択図】図３
0003184018.tif 000002
【実用新案登録請求の範囲】
【請求項１】
一対の第一脚部材と、一対の第二脚部材と、を有する脚ユニットであって、
前記第一脚部材は、横方向に配置された第一横棒と、前記第一横棒の下で横方向に配置された第一下横棒と、前記第一横棒および前記第一下横棒の両端に縦方向に接合された一対の第一脚片とを備え、
前記第二脚部材は、横方向に配置された第二横棒と、前記第二横棒の下で横方向に配置された第二下横棒と、前記第二横棒および前記第二下横棒の両端に縦方向に接合された一対の第二脚片とを備え、
前記第一脚片および前記第二脚片の側面同士が接触した状態で、前記第一脚片と前記第二脚片とが接合された脚ユニット。
【請求項２】
一対の第一脚部材と、一対の第二脚部材と、を有する脚ユニットであって、
前記第一脚部材は、横方向に配置された第一横棒と、前記第一横棒の下に配置された第一板状部材と、前記第一横棒および前記第一板状部材の両端に縦方向に接合された一対の第一脚片とを備え、
前記第二脚部材は、横方向に配置された第二横棒と、前記第二横棒の下に配置された第二板状部材と、前記第二横棒および前記第二板状部材の両端に縦方向に接合された一対の第二脚片とを備え、
前記第一脚片および前記第二脚片の側面同士が接触した状態で、前記第一脚片と前記第二脚片とが接合された脚ユニット。
【請求項３】
請求項１または２において、
前記第一脚片および前記第二脚片は、直方体形状を有し、
前記第一脚片を貫通するネジによって、前記第一脚片と前記第二脚片とが接合された脚ユニット。
【請求項４】
請求項１から３のいずれかにおいて、
前記第一横棒および前記第二横棒の少なくとも一方の上面に溝が形成されている脚ユニット。
【考案の詳細な説明】
【技術分野】
【０００１】
本考案は、椅子、テーブル、および収納容器等の家具の脚部を構成する脚ユニットに関するものである。
【背景技術】
【０００２】
椅子、テーブル、収納容器等の家具で、四本の脚を備えるものが使用されている。四本の脚を備える家具では、隣り合った脚同士を横棒で補強することがある。しかしながら、四本の脚を鉛直に保ちながら、隣り合った脚の間に横棒を水平に取り付けるのは困難であった。
【考案の概要】
【考案が解決しようとする課題】
【０００３】
本考案はこのような事情に鑑みてなされたものであり、簡易に、かつ高精度で組み立てられる四本の脚を含む脚ユニットを提供することを目的とする。
【課題を解決するための手段】
【０００４】
本考案の第一態様の脚ユニットは、一対の第一脚部材と、一対の第二脚部材と、を有する脚ユニットであって、第一脚部材は、横方向に配置された第一横棒と、第一横棒の下で横方向に配置された第一下横棒と、第一横棒および第一下横棒の両端に縦方向に接合された一対の第一脚片とを備え、第二脚部材は、横方向に配置された第二横棒と、第二横棒の下で横方向に配置された第二下横棒と、第二横棒および第二下横棒の両端に縦方向に接合された一対の第二脚片とを備え、第一脚片および第二脚片の側面同士が接触した状態で、第一脚片と第二脚片とが接合されている。
【０００５】
本考案の第二態様の脚ユニットは、一対の第一脚部材と、一対の第二脚部材と、を有する脚ユニットであって、第一脚部材は、横方向に配置された第一横棒と、第一横棒の下に配置された第一板状部材と、第一横棒および第一板状部材の両端に縦方向に接合された一対の第一脚片とを備え、第二脚部材は、横方向に配置された第二横棒と、第二横棒の下に配置された第二板状部材と、第二横棒および第二板状部材の両端に縦方向に接合された一対の第二脚片とを備え、第一脚片および第二脚片の側面同士が接触した状態で、第一脚片と第二脚片とが接合されている。
【０００６】
本考案の脚ユニットにおいて、第一脚片および第二脚片は、直方体形状を有し、第一脚片を貫通するネジによって、第一脚片と第二脚片とが接合されていてもよい。また、本考案の脚ユニットにおいて、第一横棒および第二横棒の少なくとも一方の上面に溝が形成されていてもよい。
【考案の効果】
【０００７】
本考案によれば、四本の脚を備える家具の脚部が、簡易に、かつ高精度で組み立てられる。
【図面の簡単な説明】
【０００８】
【図１】本考案の第一実施形態に係る脚ユニットの正面図である。
【図２】本考案の第一実施形態に係る脚ユニットの左側面図である。
【図３】本考案の第一実施形態に係る脚ユニットの平面図である。
【図４】本考案の第二実施形態に係る脚ユニットの正面図である。
【図５】本考案の第二実施形態に係る脚ユニットの左側面図である。
【図６】本考案の第三実施形態に係る脚ユニットの平面図である。
【考案を実施するための形態】
【０００９】
以下、本考案の脚ユニットについて、図面を参照しながら各実施形態に基づいて説明する。図面は、脚ユニット、脚ユニットを構成する部材、および脚ユニットの周辺部材を模式的に表したものであり、これらの実物の寸法および寸法比は、図面上の寸法および寸法比と必ずしも一致していない。また、重複説明は適宜省略し、同一部材には同一符号を付与することがある。
【００１０】
（第一実施形態）
図１は、本考案の第一実施形態に係る脚ユニット１０の正面図である。図２は、脚ユニット１０の左側面図である。図３は、脚ユニット１０の平面図である。脚ユニット１０は、一対の第一脚部材１２，１２と、一対の第二脚部材１４，１４とを備える。第一脚部材１２は、第一横棒１６と、第一下横棒１８と、一対の第一脚片２０，２０とを備える。第一横棒１６は直方体形状を有し、横方向に配置される。第一下横棒１８は直方体形状を有し、第一横棒１６の下で横方向に配置される。すなわち、第一横棒１６と第一下横棒１８とは、上下に横方向に並んでいる。
【００１１】
第一脚片２０は直方体形状を有する。一対の第一脚片２０，２０は、第一横棒１６および第一下横棒１８の左右両端に縦方向に接合される。より詳しくは、図１に示す脚ユニット１０において、左側に配置された第一脚片２０の左側面から、第一横棒１６および第一下横棒１８の左端面に２か所でネジ止めし、右側に配置された第一脚片２０の右側面から、第一横棒１６および第一下横棒１８の右端面に２か所でネジ止めする。このように、平面的な作業によって第一脚部材１２の組み立ができるため、第一横棒１６、第一下横棒１８、および第一脚片２０，２０の取り付け位置や取り付け角度等の精度が良い。
【００１２】
第二脚部材１４は、第二横棒２２と、第二下横棒２４と、一対の第二脚片２６，２６とを備える。第二横棒２２は直方体形状を有し、横方向に配置される。第二下横棒２４は直方体形状を有し、第二横棒２２の下で横方向に配置される。すなわち、第二横棒２２と第二下横棒２４とは、上下に横方向に並んでいる。第二脚片２６直方体形状を有する。一対の第二脚片２６，２６は、第二横棒２２および第二下横棒２４の両端に縦方向に接合される。
【００１３】
より詳しくは、図２に示す脚ユニット１０において、左側に配置された第二脚片２６の左側面から、第二横棒２２および第二下横棒２４の左端面に２か所でネジ止めし、右側に配置された第二脚片２６の右側面から、第二横棒２２および第二下横棒２４の右端面に２か所でネジ止めする。このように、平面的な作業によって第二脚部材１４の組み立ができるため、第二横棒２２、第二下横棒２４、および第二脚片２６，２６の取り付け位置や取り付け角度等の精度が良い。
【００１４】
脚ユニット１０は、第一脚片２０および第二脚片２６の側面同士が接触した状態で、すなわち、４本の第一脚片２０のある側面と、４本の第二脚片２６のある側面とが各々接触した状態で、第一脚片２０と第二脚片２６とがそれぞれ接合される。これらの接合は、第一脚片２０を貫通し第二脚片２６に到達するネジによって行われる。より詳しくは、図１に示す脚ユニット１０において、左側に配置された第一脚片２０の右側面で、第一横棒１６と第一下横棒１８の間にある２か所から、左側の第二脚片２６にネジ止めし、右側に配置された第一脚片２０の左側面で、第一横棒１６と第一下横棒１８の間にある２か所から、右側の第二脚片２６にネジ止めする。
【００１５】
このように、直方体の側面同士が接触した状態で第一脚片２０と第二脚片２６とが接合されるため、第一脚部材１２と第二脚部材１４との取り付け位置や取り付け角度等の精度が良い。また、脚ユニット１０は、図１に示すように、座面３０を上から装着すると椅子になる。座面３０の底部には、第一横棒１６、第一脚片２０、第二横棒２２、および第二脚片２６の内側に嵌め込まれる突出部３２が設けられている。このため、座面３０が脚ユニット１０からずれ落ちにくい。座面３０に代えて、卓面を脚ユニット１０の上から装着するとテーブルになる。
【００１６】
（第二実施形態）
図４は、本考案の第二実施形態に係る脚ユニット４０の正面図である。図５は、脚ユニット４０の左側面図である。脚ユニット４０では、脚ユニット１０の第一下横棒１８と第二下横棒２４の代わりに、第一板状部材４２と第二板状部材４４がそれぞれ設けられている。第一横棒１６と第一板状部材４２はつながっており、第二横棒２２と第二板状部材４４もつながっている。このため、脚ユニット４０の内部への視界が遮断される。脚ユニット４０は、図４に示すように、蓋４６を上から装着すると収納容器になる。この収容容器は底がないため、床面や地面に物が置かれた状態、例えば、散水に用いる巻き取りホースが庭に置かれた状態を覆って隠す場合等に使用できる。
【００１７】
（第三実施形態）
図６は、本考案の第三実施形態に係る脚ユニット５０の平面図である。脚ユニット５０では、第一横棒１６および第二横棒２２の上面に溝５２が設けられている。このように、第一横棒１６および第二横棒２２少なくとも一方の上面に溝５２が設けられていれば、脚ユニット５０の上に載せる座面、卓面、蓋等の底面に設けられた突出部を、溝５２に装着することができる。
【００１８】
以上、各実施形態に基づいて本考案の脚ユニットを説明したが、本考案の脚ユニットは上記実施形態に限定されない。すなわち、脚ユニットの構成部材の形状や数量等は上記実施形態に限定されない。また、脚ユニットを複数寄せ集めて、それらの上に座面や卓面等を載せれば、大きな椅子やテーブル等が得られる。また、高さが異なる脚ユニットを用意し、高い脚ユニットの上に卓面を、低い脚ユニットの上に座面をそれぞれ載せれば、テーブルと椅子のセットが得られる。
【符号の説明】
【００１９】
１０，４０，５０  脚ユニット
１２  第一脚部材
１４  第二脚部材
１６  第一横棒
１８  第一下横棒
２０  第一脚片
２２  第二横棒
２４  第二下横棒
２６  第二脚片
３０  座面
３２  突出部
４２  第一板状部材
４４  第二板状部材
４６  蓋
５２  溝
【図１】
0003184018.tif 000003
【図２】
0003184018.tif 000004
【図３】
0003184018.tif 000005
【図４】
0003184018.tif 000006
【図５】
0003184018.tif 000007
【図６】
0003184018.tif 000008